(57)【特許請求の範囲】
【請求項１】
上方に開口部を有するとともに両側面に突起を有する洗浄槽と、前記洗浄槽を前後方向に移動可能に支持する外箱と、前記外箱に設けられたばねにより略上方方向に付勢されるとともに前記外箱に設けられた軸部を回転支点とするリンク機構と、前記外箱に前記リンク機構を介して前後および上下方向に移動可能に支持される内蓋とを備え、前記リンク機構は、一端が前記内蓋と連結し、前記内蓋との連結部とは反対側の他端に、前記洗浄槽の突起に対して略下方方向から当接する当て部を設け、前記軸部に対する前記リンク機構の穴部を長穴とし、前記洗浄槽を前記外箱内に収容した状態で、前記リンク機構を略下方方向に移動可能とし、前記当て部が前記洗浄槽の突起に当接することにより前記リンク機構が略下方方向に移動するとともに、前記洗浄槽が前記内蓋を後方に押すことにより、前記リンク機構が回転し、前記内蓋が前記洗浄槽の開口部を閉塞する食器洗い機。
【請求項２】
当て部は、洗浄槽に対して略下方方向から当接する回転自在なローラーで構成した請求項１記載の食器洗い機。
【発明の詳細な説明】
【０００１】
【発明の属する技術分野】
本発明は、洗浄槽を前後方向に移動して外箱内に収容したとき、内蓋により洗浄槽の上方の開口部を閉塞する食器洗い機に関する。
【０００２】
【従来の技術】
近年、洗浄槽内で回転する洗浄ノズルから噴射される洗浄水によって食器かごに収納された食器を洗浄する食器洗い機が主流となっている。
【０００３】
従来、この種の食器洗い機は図３に示すように構成していた。以下、その構成について説明する。
【０００４】
図３に示すように、外箱１は前方に開口部を有するとともに、レール２を介して洗浄槽３を前後方向に移動可能に支持している。洗浄槽３の前方には扉４を取り付けており、外箱１の開口部を開閉する。洗浄槽３は、上方に開口部５を有し、この開口部５を閉塞する内蓋６を設けている。
【０００５】
洗浄槽３内には洗浄水を噴射する洗浄ノズル７を回転自在に設けるとともに、食器８を収納する食器かご９を配置している。洗浄槽３内の洗浄水はヒータ１０によって温水化され、洗浄ポンプ１１により排水口１２から吸い込まれ、洗浄ノズル７に圧送される。洗浄ノズル７より勢いよく噴射される洗浄水によって、食器かご９に収納された食器８を洗浄するように構成している。
【０００６】
洗浄槽３の開口部５を閉塞する内蓋６は洗浄槽３の上辺に対向する位置にパッキング１３を設けている。内蓋６の背面に下方方向への突出部１４を設け、洗浄槽３に押圧部１５を設け、洗浄槽３を外箱１内に収容したとき押圧部１５により内蓋６に設けた突出部１４を後方へ押すように構成している。内蓋６は複数のリンク機構１６を介して外箱１の内部に可動式に収容し、洗浄槽３を外箱１内に収容したとき押圧部１５により内蓋６に設けた突出部１４を後方へ押すことにより、内蓋６がリンク機構１６の回動により下降し、洗浄槽３の動きと連動して内蓋６を動かし、洗浄槽３の上方を覆うよう構成している。
【０００７】
上記構成において動作を説明すると、利用者が洗浄槽３を前方に引き出し、食器８を食器かご９に配置し、洗浄槽３に収納して洗剤を入れた後、洗浄槽３を外箱１内に収容すると、押圧部１５により内蓋６に設けた突出部１４を後方へ押すことにより、リンク機構１６が回動して内蓋６が下降し、パッキング１３を介して洗浄槽３の上方を覆い、開口部５を閉塞する。
【０００８】
この状態で運転を開始すると、制御装置（図示せず）によりヒータ１０、洗浄ポンプ１１、排水ポンプ等の運転を制御し、食器かご９に収納した食器８を洗浄、すすぎ、乾燥を行う。
【０００９】
【発明が解決しようとする課題】
このような従来の構成では、内蓋６は複数のリンク機構１６を介して外箱１の内部に可動式に収納し、突出部１４と押圧部１５との当接時に、押圧部１５で突出部１４を後方に押すことによって、リンク機構１６の回動により内蓋６を下降させ、洗浄槽３の開口部５を閉塞する構成としているため、洗浄槽３の開閉動作のためのレール２の高さ寸法のばらつきにより、外箱１に対する洗浄槽３の高さ位置関係が変化する。
【００１０】
たとえば、レール２が下方向にばらつきで変化した場合、洗浄槽３と内蓋６との高さ方向の隙間寸法は所定寸法より大きくなり、パッキング１３の締め代が小さくなって、シール性能が不十分になるという問題があった。すなわち、本構成の場合、洗浄槽３の高さ方向の寸法変化に対し、内蓋６の高さ位置が追随できない構成となっていた。
【００１１】
本発明は上記課題を解決するもので、洗浄槽と内蓋との間の閉塞性を確保し、洗浄水や蒸気が漏れるのを防止し、使い勝手がよく、簡潔かつ廉価な構成の食器洗い機を提供することを目的としている。
【００１２】
【課題を解決するための手段】
本発明は上記目的を達成するために、上方に開口部を有するとともに両側面に突起を有する洗浄槽と、前記洗浄槽を前後方向に移動可能に支持する外箱と、前記外箱に設けられたばねにより略上方方向に付勢されるとともに前記外箱に設けられた軸部を回転支点とするリンク機構と、前記外箱に前記リンク機構を介して前後および上下方向に移動可能に支持される内蓋とを備え、前記リンク機構は、一端が前記内蓋と連結し、前記内蓋との連結部とは反対側の他端に、前記洗浄槽の突起に対して略下方方向から当接する当て部を設け、前記軸部に対する前記リンク機構の穴部を長穴とし、前記洗浄槽を前記外箱内に収容した状態で、前記リンク機構を略下方方向に移動可能とし、前記当て部が前記洗浄槽の突起に当接することにより前記リンク機構が略下方方向に移動するとともに、前記洗浄槽が前記内蓋を後方に押すことにより、前記リンク機構が回転し、前記内蓋が前記洗浄槽の開口部を閉塞するものである。
【００１３】
これにより、洗浄槽と内蓋との間の閉塞性を確保することができ、洗浄水や蒸気が漏れるのを防止できて、使い勝手がよく、簡潔かつ廉価な構成の食器洗い機を提供することができる。
【００１４】
【発明の実施の形態】
本発明の請求項１に記載の発明は、上方に開口部を有するとともに両側面に突起を有する洗浄槽と、前記洗浄槽を前後方向に移動可能に支持する外箱と、前記外箱に設けられたばねにより略上方方向に付勢されるとともに前記外箱に設けられた軸部を回転支点とするリンク機構と、前記外箱に前記リンク機構を介して前後および上下方向に移動可能に支持される内蓋とを備え、前記リンク機構は、一端が前記内蓋と連結し、前記内蓋との連結部とは反対側の他端に、前記洗浄槽の突起に対して略下方方向から当接する当て部を設け、前記軸部に対する前記リンク機構の穴部を長穴とし、前記洗浄槽を前記外箱内に収容した状態で、前記リンク機構を略下方方向に移動可能とし、前記当て部が前記洗浄槽の突起に当接することにより前記リンク機構が略下方方向に移動するとともに、前記洗浄槽が前記内蓋を後方に押すことにより、前記リンク機構が回転し、前記内蓋が前記洗浄槽の開口部を閉塞するものであり、たとえば洗浄槽を支えているレールの寸法にばらつきが生じて、洗浄槽が下方に落ち込んだ状態になっても、洗浄槽を外箱内に収容し、リンク機構を介して前後および上下方向に移動可能に支持した内蓋により洗浄槽の上方の開口部を閉塞するとき、リンク機構が外箱に対して略鉛直方向に移動することにより、内蓋は洗浄槽の落ち込みに追随することができて、確実に洗浄槽と内蓋との間の閉塞性を確保することができ、洗浄水や蒸気が漏れるのを防止でき、使用勝手がよく、簡潔かつ廉価な構成の食器洗い機を提供することができる。
【００１５】
また、洗浄槽が下方に落ち込んだ場合に、洗浄槽を外箱内に収容した状態で、確実にリンク機構を下方に落とし込み、洗浄槽の落ち込みに対して内蓋を確実に追随させることができ、洗浄槽と内蓋との間の閉塞性を確保することができ、洗浄水や蒸気が漏れるのを防止でき、使用勝手がよく、簡潔かつ廉価で信頼性の高い構成の食器洗い機を提供することができる。
【００１６】
また、リンク機構の回転支点を略中心としてその一端に内蓋を連結し、その他端側に洗浄槽との当て部を設けることで、確実に洗浄槽と内蓋との高さ方向の寸法を一定にすることができ、洗浄槽を外箱内に収容した状態で、洗浄槽と内蓋との間の閉塞性を確保することができ、洗浄水や蒸気が漏れるのを防止でき、使用勝手がよく、簡潔かつ廉価でより信頼性の高い構成の食器洗い機を提供することができる。
【００１７】
また、洗浄槽を外箱内に収容した状態で、リンク機構による内蓋の上下方向の移動量に加えて、リンク機構の略下方方向の移動量だけさらに内蓋を下方に移動させることができ、確実に洗浄槽と内蓋との間の閉塞性を確保することができ、洗浄水や蒸気が漏れるのを防止でき、使用勝手がよく、簡潔かつ廉価な構成の食器洗い機を提供することができる。
【００１８】
また、リンク機構の回転支点を構成する軸部に対するリンク機構の穴が長穴のための下方への落ち込みを防止することができる。
【００１９】
請求項２に記載の発明は、当て部は、洗浄槽に対して略下方方向から当接する回転自在なローラーで構成したものであり、洗浄槽とリンク機構の当て部とが当接する場合の摩擦力を低減することができ、リンク機構の当て部が洗浄槽に対して略下方方向から当接している、いないに関わらず、洗浄槽を円滑に前後方向に移動させることができるとともに、洗浄槽を外箱内に収容した状態で、洗浄槽と内蓋との間の閉塞性を確保することができ、洗浄水や蒸気が漏れるのを防止できるとともに、使用勝手がよく、簡潔かつ廉価でより信頼性の高い構成の食器洗い機を提供することができる。
【００２０】
【実施例】
以下、本発明の一実施例について、図面を参照しながら説明する。なお、従来例と同じ構成のものは同一符号を付して説明を省略する。
【００２１】
図１に示すように、洗浄槽１７は、その左右両外面にレール１８を設け、外箱１９に対して前後方向に移動可能としている。外箱１９内の上方には、前後左右に１個づつ計４個のリンク機構２０を介して、内蓋２１を前後および上下方向に移動可能に取り付けている。内蓋２１の下側にはパッキング２２を装着している。
【００２２】
軸部２３は外箱１９に設け、リンク機構２０の回転支点を構成し、図２に示すように、軸部２３に対するリンク機構２０の穴部を長穴２４とし、リンク機構２０を外箱２１に対して略鉛直方向に移動可能としている。また、回転側の穴２５を内蓋２１に設けた軸２６により軸支し、リンク機構２０を内蓋２１に連結している。
【００２３】
リンク機構２０を内蓋２１に連結する穴２５とは反対側の他端側にローラー２７を回転自在に設け、このローラー２７を洗浄槽１７の両側面に略全長にわたって設けた突起２８の下面に当接するようにし、洗浄槽１７に対して略下方方向から当接する当て部２９を構成している。
【００２４】
ここで、突起２８には洗浄槽１７を外箱１９内に収容した状態でローラー２７が当接する箇所の近傍に下方に突出する突出部３０を設け、洗浄槽１７を前後方向に移動させたとき、ローラー２７は突出部３０だけに当接し、ローラー２７が突出部３０に当接することにより、リンク機構２０を略下方方向に移動可能としている。
【００２５】
ばね３１は、リンク機構２０を外箱１９に連結し、リンク機構２０を略上方に付勢している。ばね３２は内蓋２１を外箱１９に連結し、内蓋２１を上方前方に付勢している。洗浄槽１７は後方中央に押圧部３３を有し、この押圧部３３は内蓋２１の後方の下側に設けた突出部３４と当接可能な位置関係にある。
【００２６】
上記構成において動作を説明する。利用者が洗浄槽１７を前方に引き出し、食器８を食器かご９に配置し、洗浄槽１７に収納して洗剤を入れた後、洗浄槽１７を外箱１９内に収容する。
【００２７】
このとき、リンク機構２０はばね３１により略上方に付勢されているが、洗浄槽１７が後方へ移動を開始した当初は、リンク機構２０に回転自在に設けたローラー２７は突起２８に当接しない。洗浄槽１７が後方へ移動して、突起２８に設けた突出部３０がローラー２７に位置にくると、ローラー２７は突出部３０の下面に当接し、リンク機構２０を略下方方向に移動させ、洗浄槽１７の移動によって回転しながらこの状態を保持する。
【００２８】
さらに、洗浄槽１７が後方へ移動して、押圧部３３が突出部３４を後方へ押すことによって、内蓋２１が後方へ押される。このとき、リンク機構２０は軸部２３を回転中心として回転し、内蓋２１はリンク機構２０の回転軌跡上を移動するため、後方に移動しながら下方向に移動する。さらに洗浄槽１７が後方へ移動すると、洗浄槽１７の上方の開口部３５の高さまで内蓋２１が下降し、洗浄槽１７の収容が完了すると同時に内蓋２１がパッキング２２を介して洗浄槽１７の開口部３１を閉塞する。
【００２９】
この状態で運転を開始すると、制御装置（図示せず）によりヒータ１０、洗浄ポンプ１１、排水ポンプ等の運転を制御し、食器かご９に収納した食器８を洗浄、すすぎ、乾燥を行う。
【００３０】
また、洗浄槽１７を外箱１９より引き出すと、内蓋２１は弾性体３２によって上方向へ持ち上げられ、リンク機構２０の回転作用により前方へも移動する。このため、扉４を操作することのみにより、洗浄槽１７と内蓋２１との相互位置を規制しながら閉塞性を確保することができ、洗浄水や蒸気が漏れるのを防止できる。
【００３１】
つぎに、たとえば洗浄槽１７を支えているレール１８の寸法にばらつきが生じて、洗浄槽１７が下方に落ち込んだ状態になった場合について説明する。
【００３２】
レール１８の寸法ばらつきにより洗浄槽１７が下方に落ち込んだ状態では、リンク機構２０は、内蓋２１への連結部とは反対側の他端側に設けたローラー２７を洗浄槽１７の両側面に略全長にわたって設けた突起２８の下面に当接させ、リンク機構２０の回転支点を構成する軸部２３に対するリンク機構２０の穴部を長穴２４としているため、洗浄槽１７の下方への落ち込みに応じて、リンク機構２０を外箱１９に対して略鉛直方向に下方へ移動させ、洗浄槽１７と内蓋２１との高さ方向の寸法を一定にすることができる。
【００３３】
この状態で、洗浄槽１７を外箱１９内に収容すると、洗浄槽１７が後方へ移動し押圧部３３が突出部３４を後方へ押すことによって、内蓋２１が後方へ押され、リンク機構２０は軸部２３を回転中心として回転し、内蓋２１はリンク機構２０の回転軌跡上を移動するため、後方に移動しながら下方向に移動し、洗浄槽１７の収容が完了すると同時に内蓋２１がパッキング２２を介して洗浄槽１７の開口部３１を閉塞することができる。
【００３４】
このように本実施例によれば、リンク機構２０の回転支点を構成する軸部２３に対するリンク機構２０の穴部を長穴２４とし、リンク機構２０を外箱１９に対して、略鉛直方向に移動できるようにしているので、洗浄槽１７を支えているレール１８の寸法にばらつきが生じて、洗浄槽１７が下方に落ち込んだ状態になっても、リンク機構２０が外箱１９に対して略鉛直方向に移動することにより、内蓋２１は洗浄槽１７の落ち込みに追随することができ、洗浄槽１７を外箱１９内に収容し、リンク機構２０を介して内蓋２１により洗浄槽１７の上方の開口部３５を閉塞するとき、確実に洗浄槽１７と内蓋２１との間の閉塞性を確保することができ、洗浄水や蒸気が漏れるのを防止できる。
【００３５】
また、リンク機構２０は、内蓋２１への連結部とは反対側の他端側に、洗浄槽１７に対して略下方方向から当接する当て部２９を設けているので、洗浄槽１７と内蓋２１との高さ方向の寸法を一定にすることができて、洗浄槽１７が下方に落ち込んだ場合に、確実にリンク機構２０を下方に落とし込むことができ、洗浄槽１７が下方に落ち込んだ状態になっても、洗浄槽１７を外箱１９内に収容した状態で、洗浄槽１７と内蓋２１との間の閉塞性を確保することができる。
【００３６】
また、当て部２９をローラー２７により構成しているので、洗浄槽１７とリンク機構２０の当て部２９とが当接する場合の摩擦力を低減することができ、リンク機構２０の当て部２９が洗浄槽１７に対して略下方方向から当接している、いないに関わらず、洗浄槽１７を円滑に前後方向に移動させることができる。
【００３７】
また、リンク機構２０は、洗浄槽１７を外箱１９内に収容した状態で、略下方方向に移動可能としているので、リンク機構２０による内蓋２１の上下方向の移動量に加えて、リンク機構２０の略下方方向の移動量だけさらに内蓋２１を下方に移動させることができ、確実に洗浄槽１７と内蓋２１との間の閉塞性を確保することができる。
【００３８】
また、リンク機構２０を略上方方向に付勢しているので、リンク機構２０の回転支点を構成する軸部２３に対するリンク機構２０の穴が長穴２４のための下方への落ち込みを防止することができる。
【００３９】
【発明の効果】
以上のように本発明の請求項１に記載の発明によれば、上方に開口部を有するとともに両側面に突起を有する洗浄槽と、前記洗浄槽を前後方向に移動可能に支持する外箱と、前記外箱に設けられたばねにより略上方方向に付勢されるとともに前記外箱に設けられた軸部を回転支点とするリンク機構と、前記外箱に前記リンク機構を介して前後および上下方向に移動可能に支持される内蓋とを備え、前記リンク機構は、一端が前記内蓋と連結し、前記内蓋との連結部とは反対側の他端に、前記洗浄槽の突起に対して略下方方向から当接する当て部を設け、前記軸部に対する前記リンク機構の穴部を長穴とし、前記洗浄槽を前記外箱内に収容した状態で、前記リンク機構を略下方方向に移動可能とし、前記当て部が前記洗浄槽の突起に当接することにより前記リンク機構が略下方方向に移動するとともに、前記洗浄槽が前記内蓋を後方に押すことにより、前記リンク機構が回転し、前記内蓋が前記洗浄槽の開口部を閉塞するから、たとえば洗浄槽を支えているレールの寸法にばらつきが生じて、洗浄槽が下方に落ち込んだ状態になっても、内蓋は洗浄槽の落ち込みに追随することができて、洗浄槽を外箱内に収容したとき確実に洗浄槽と内蓋との間の閉塞性を確保することができ、洗浄水や蒸気が漏れるのを防止でき、使用勝手がよく、簡潔かつ廉価な構成の食器洗い機を提供することができる。
【００４０】
また、洗浄槽が下方に落ち込んだ場合に、確実にリンク機構を下方に落とし込み、洗浄槽の落ち込みに対して内蓋を確実に追随させることができ、洗浄槽と内蓋との間の閉塞性を確保することができ、洗浄水や蒸気が漏れるのを防止でき、使用勝手がよく、簡潔かつ廉価で信頼性の高い構成の食器洗い機を提供することができる。
【００４１】
また、リンク機構の回転支点を略中心としてその一端に内蓋を連結し、その他端側に洗浄槽との当て部を設けることで、確実に洗浄槽と内蓋との高さ方向の寸法を一定にすることができ、洗浄槽を外箱内に収容した状態で、洗浄槽と内蓋との間の閉塞性を確保することができ、洗浄水や蒸気が漏れるのを防止でき、使用勝手がよく、簡潔かつ廉価でより信頼性の高い構成の食器洗い機を提供することができる。
【００４２】
また、洗浄槽を外箱内に収容した状態で、リンク機構による内蓋の上下方向の移動量に加えて、リンク機構の略下方方向の移動量だけさらに内蓋を下方に移動させることができ、確実に洗浄槽と内蓋との間の閉塞性を確保することができ、洗浄水や蒸気が漏れるのを防止でき、使用勝手がよく、簡潔かつ廉価な構成の食器洗い機を提供することができる。
【００４３】
また、リンク機構の回転支点を構成する軸部に対するリンク機構の穴が長穴のための下方への落ち込みを防止することができる。
【００４４】
また、請求項２に記載の発明によれば、当て部は、洗浄槽に対して略下方方向から当接する回転自在なローラーで構成したから、洗浄槽とリンク機構の当て部とが当接する場合の摩擦力を低減することができ、洗浄槽を円滑に前後方向に移動させることができるとともに、洗浄槽を外箱内に収容した状態で、洗浄槽と内蓋との間の閉塞性を確保することができ、洗浄水や蒸気が漏れるのを防止できるとともに、使用勝手がよく、簡潔かつ廉価でより信頼性の高い構成の食器洗い機を提供することができる。
【図面の簡単な説明】
【図１】  本発明の一実施例の食器洗い機の縦断面図
【図２】  同食器洗い機の要部拡大側面図
【図３】  従来の食器洗い機の縦断面図
【符号の説明】
１７  洗浄槽
１９  外箱
２０  リンク機構
２１  内蓋
２３  軸部
２４  長穴
３５  開口部
【図１】
0004244516.tif 000002
【図２】
0004244516.tif 000003
【図３】
0004244516.tif 000004